(57)【要約】      （修正有）【課題】製造工程において吸引される円形膜の破損防止のために、底部に軟質の保護部材が取付けられる円形膜用運搬装置を提供する。【解決手段】本体１０と、保護部材２０とを含み、本体１０は、ブロック体を呈すると共に、両端と、それぞれ、該本体を貫通し、該本体の両端のうちの一端に位置する排気口が形成されると共に、該本体の両端のうちのもう一端に位置する吸入口２２が形成される少なくとも１つの連通路とを有し、保護部材２０は、軟質であり、凹入状を呈し、前記本体に取付けられると共に、端面と、前記端面に形成される収容室と、それぞれ前記収容室に連通するように前記保護部材を貫通すると共に、それぞれ前記少なくとも１つの連通路の吸入口に連通される少なくとも１つの吸引口とを有することを特徴とする円形膜用運搬装置である。【選択図】図１
0003209748.tif 000002
【実用新案登録請求の範囲】
【請求項１】
本体と、保護部材とを含み、
前記本体は、ブロック体を呈すると共に、両端と、それぞれ、該本体を貫通し、該本体の両端のうちの一端に位置する排気口が形成されると共に、該本体の両端のうちのもう一端に位置する吸入口が形成される少なくとも１つの連通路とを有し、
前記保護部材は、軟質であり、凹入状を呈し、前記本体に取付けられると共に、端面と、前記端面に形成される収容室と、それぞれ前記収容室に連通するように前記保護部材を貫通すると共に、それぞれ前記少なくとも１つの連通路の吸入口に連通される少なくとも１つの吸引口とを有することを特徴とする円形膜用運搬装置。
【請求項２】
前記本体は、さらに、端部と、該端部に位置する取付部材と、該取付部材に形成される第１結合部とを有し、
前記吸入口は、前記取付部材に位置し、
前記保護部材は、前記本体に取付けられる、凹入状を呈するカバーであると共に、前記吸引口から離れた、前記第１結合部と結合する第２結合部をさらに有する請求項１に記載の円形膜用運搬装置。
【請求項３】
前記取付部材は、外周面を有し、
前記第１結合部は、前記取付部材の外周面に凹入してなる凹入溝であり、
前記収容室は、内周面を有し、
前記第２結合部は、前記収容室の内周面から突出してなる突出リブである請求項２に記載の円形膜用運搬装置。
【請求項４】
前記保護部材は、１つの吸引口を有する請求項３に記載の円形膜用運搬装置。
【請求項５】
前記保護部材は、互いに離れた２つの吸引口を有する請求項３に記載の円形膜用運搬装置。
【請求項６】
前記本体は、前記保護部材の吸引口に連通する１つの通路を有する請求項４に記載の円形膜用運搬装置。
【請求項７】
前記本体は、前記保護部材の２つの吸引口にそれぞれ連通する２つの通路を有する請求項５に記載の円形膜用運搬装置。
【考案の詳細な説明】
【技術分野】
【０００１】
本考案は、運搬装置に関し、特にその一端に連通される真空手段を用い、円形膜を運搬する運搬装置に関するものである。
【背景技術】
【０００２】
円形膜を運搬するための従来の真空式運搬装置は、普通、円形膜を製造する機械に設けられるものである。具体的にいうと、この従来の真空式運搬装置は、該機械の運搬設備に設けられ、ワークステーション同士の間に往復できるように該運搬設備に駆動されるものである。即ち、該運搬装置は、ワークステーションから１つの円形膜を拾い上げ、この円形膜を他のワークステーションに運搬してから、円形膜を該運搬装置から離脱させ、該他のワークステーションに配置する。
【０００３】
図９に示すように、この種類に属する従来の運搬装置５０に、軸穴５００と、該運搬装置５０の内部を貫通する少なくとも１つの連通路５１とが形成される。該連通路５１は、該運搬装置５０の上部に排気口を形成させ、該運搬装置５０の底部に吸入口５２を形成させる。該排気口は、真空発生装置に連通される。該真空発生装置は、該連通路５１を通し、該吸入口５２まで、真空を発生させるので、該運搬装置５０の底部に形成される吸入口５２に、真空による吸引力を発揮することができる。さらに図１０に示すように、該運搬装置５０はロボットアーム８０に取付けられる。該ロボットアーム８０に保持部材８１が設けられる。該保持部材８１は、前記運搬装置５０の軸穴５００に枢設される回転軸８２を備える。該運搬装置５０における互いに反対側に位置する外側が、それぞれ弾性部材８３を介して、前記保持部材８１に取付けられることから、該運搬装置５０は、往復的に回動することができる。
【考案の概要】
【考案が解決しようとする課題】
【０００４】
図１１に示すように、運搬設備に駆動され、円形膜７０を載せるトレー６０に移動し、底部が該円形膜７０の近傍に位置する前記運搬装置５０の吸入口５２に発揮される真空吸引力により、円形膜７０が吸引され、次のワークステーションに運搬される。該従来の運搬装置５０は、例えば金属などの硬質な材料からなるものであると共に、運搬中該円形膜７０の脱落を防止するために真空吸引力を必要以上に増大させなくてはならないことから、該運搬装置５０の底部へ強く吸引される該円形膜７０が、該運搬装置５０の底部に衝突し、破損してしまいがちといった欠点があった。
【０００５】
そこで、案出されたのが本考案であって、従来の運搬装置の欠点を克服し、製造工程において吸引される円形膜の破損防止のために、底部に軟質の保護部材が取付けられる円形膜用運搬装置を提供することを目的としている。
【課題を解決するための手段】
【０００６】
本願の請求項１の考案は、本体と、保護部材とを含み、
前記本体は、ブロック体を呈すると共に、両端と、それぞれ、該本体を貫通し、該本体の両端のうちの一端に位置する排気口が形成されると共に、該本体の両端のうちのもう一端に位置する吸入口が形成される少なくとも１つの連通路とを有し、
前記保護部材は、軟質であり、凹入状を呈し、前記本体に取付けられると共に、端面と、前記端面に形成される収容室と、それぞれ前記収容室に連通するように前記保護部材を貫通すると共に、それぞれ前記少なくとも１つの連通路の吸入口に連通される少なくとも１つの吸引口とを有することを特徴とする円形膜用運搬装置、を提供する。
【０００７】
本願の請求項２の考案は、前記本体は、さらに、端部と、該端部位置する取付部材と、該取付部材に形成される第１結合部とを有し、
前記吸入口は、前記取付部材に位置し、
前記保護部材は、前記本体に取付けられる、凹入状を呈するカバーであると共に、前記吸引口から離れた、前記第１結合部と結合する第２結合部をさらに有する請求項１に記載の円形膜用運搬装置、を提供する。
【０００８】
本願の請求項３の考案は、前記取付部材は、外周面を有し、
前記第１結合部は、前記取付部材の外周面に凹入してなる凹入溝であり、
前記収容室は、内周面を有し、
前記第２結合部は、前記収容室の内周面から突出してなる突出リブである請求項２に記載の円形膜用運搬装置、を提供する。
【０００９】
本願の請求項４の考案は、前記保護部材は、１つの吸引口を有する請求項３に記載の円形膜用運搬装置、を提供する。
【００１０】
本願の請求項５の考案は、前記保護部材は、互いに離れた２つの吸引口を有する請求項３に記載の円形膜用運搬装置、を提供する。
【００１１】
本願の請求項６の考案は、前記本体は、前記保護部材の吸引口に連通する１つの通路を有する請求項４に記載の円形膜用運搬装置、を提供する。
【００１２】
本願の請求項７の考案は、前記本体は、前記保護部材の２つの吸引口にそれぞれ連通する２つの通路を有する請求項５に記載の円形膜用運搬装置、を提供する。
【考案の効果】
【００１３】
本考案は上記の課題を解決するものであり、該本体における吸入口を有する端に取付けられる保護部材を有し、該保護部材は軟質材料からなると共に、少なくとも１つの吸引口を有し、吸引された円形膜が保護部材に当接しても破損しないように保護することができる。また、該本体は第１結合部を有すると共に、該保護部材は第２結合部を有するので、この２つの結合部により、該保護部材を該本体に安定に結合させることができる。さらに、この２つの結合部は、それぞれ凹入してなる凹入溝および突出してなる突出リブであるので、該凹入および突出の形状により、容易かつ迅速に位置決めして、結合させることができることから、構造を簡素化させ、操作を簡単にすることができる。
【図面の簡単な説明】
【００１４】
【図１】本考案に係る円形膜用運搬装置の斜視図である。
【図２】本考案に係る円形膜用運搬装置の分解斜視図である。
【図３】本考案に係る円形膜用運搬装置の正面断面図である。
【図４】本考案に係る円形膜用運搬装置の使用状態を示す一部正面断面図である。
【図５】本考案に係る円形膜用運搬装置の使用状態を示す他の一部正面断面図である。
【図６】本考案における他の実施例に係る円形膜用運搬装置の分解斜視図である。
【図７】本考案における他の実施例に係る円形膜用運搬装置の正面断面図である。
【図８】本考案における他の実施例に係る円形膜用運搬装置の使用状態を示す側面図である。
【図９】従来の円形膜用運搬装置の一部正面断面図である。
【図１０】ロボットアームに設けられる従来の円形膜用運搬装置の正面図である。
【図１１】従来の円形膜用運搬装置の使用状態を示す一部正面断面図である。
【考案を実施するための形態】
【００１５】
図１に示すように、本考案に係る円形膜用運搬装置は、本体１０と、保護部材２０とを含む。
【００１６】
さらに図２および図３に示すように、前記本体１０は、ブロック体を呈すると共に、両端と、少なくとも１つの連通路１１とを有する。図面に示す具体の実施例に係る円形膜用運搬装置は、本体１０が１つの連通路１１を有するものである。該連通路１１は、該本体１０を貫通し、該本体１０の両端のうちの一端に位置する排気口１１１が形成されると共に、該本体１０の両端のうちのもう一端に位置する吸入口１１２が形成される。該排気口は、真空発生装置に連通される。
【００１７】
前記保護部材２０は、軟質であり、凹入状を呈し、端面と、前記保護部材２０が凹入状を呈するカバーになるように前記端面に形成される収容室２１と、少なくとも１つの吸引口２２とを有する。該少なくとも１つの吸引口２２は、前記保護部材２０を貫通する。前記本体１０は、端部を有し、該吸入口１１２は該端部に形成される。前記保護部材２０は、前記本体１０における吸入口１１２が形成される端部に取付けられる。前記保護部材２０の吸引口２２は、前記吸入口１１２に連通される。図面に示す具体の実施例に係る円形膜用運搬装置は、該保護部材２０が１つの吸引口２２を有するものである。
【００１８】
前記本体１０は、さらに、前記端部に位置する取付部材１００と、第１結合部１２とを有する。前記第１結合部１２は、該取付部材１００に形成される。前記吸入口１１２は、前記取付部材１００に位置する。好ましい実施例において、前記第１結合部１２は、前記吸入口１１２から離れた箇所に位置する。前記保護部材２０は、さらに、第２結合部２３を有する。前記第２結合部２３は、前記吸引口２２から離れた箇所に位置する。前記吸引口２２は、前記保護部材２０の収容室２１に連通されると共に、前記本体１０の吸入口１１２に連通される。前記保護部材２０が前記本体１０の取付部材１００に取付けられるように、前記第１結合部１２と、前記第２結合部２３とが互いに結合させられる。
【００１９】
前記取付部材１００は、外周面を有する。前記第１結合部１２は、前記取付部材１００の外周面に凹入してなる凹入溝１２１である。前記収容室２１は、内周面を有する。前記第２結合部２３は、前記収容室２１の内周面から突出してなる突出リブ２３１である。前記凹入溝１２１と、突出リブ２３１とが互いに結合させられる。
【００２０】
図４及び図５に示すように、本考案に係る円形膜用運搬装置の本体１０の端部に前記保護部材２０が取付けられるので、該円形膜用運搬装置がトレー６０へ移動し、該本体１０の連通路１１に発生する真空による該吸引口２２に発揮される吸引力により、吸引された円形膜７０が該保護部材２０に当接しても、破損されずに済む。
【００２１】
図６及び図７に示すように、本考案における他の実施例に係る円形膜用運搬装置は、本体３０と、保護部材４０とを含む。該本体３０および保護部材４０は上述した実施例と略同様である。該本体３０は少なくとも１つの連通路３１を有する。該連通路３１は、該本体３０の両端のうちの一端に位置する排気口３１１が形成されると共に、該本体３０の両端のうちのもう一端に位置する吸入口３１２が形成される。該保護部材４０は、軟質であり、収容室４１と、２つの吸引口４２とを有する。該２つの吸引口４２は、前記収容室４１に連通される前記保護部材４０を貫通する。前記２つの吸引口４２は、互いに離れたものである。前記保護部材４０は、前記本体３０における吸入口３１２が形成される箇所に取付けられる。前記２つの吸引口４２は、それぞれ前記吸入口３１２に連通される。好ましい実施例において、前記吸入口３１２は、前記吸引口４２のいずれよりも大径なものである。
【００２２】
本実施例において、該本体３０は、互いに離れた２つの連通路３１を有する。前記２つの連通路３１の吸入口３１２は、それぞれ、前記吸引口４２に連通される。図８に示すように、該本体３０は、該吸入口３１２に連通される各前記吸引口４２を通して、円形膜７０を吸引する。
【産業上の利用可能性】
【００２３】
本考案は上記の構成を有するので、円形膜の破損を防止することができる。
【符号の説明】
【００２４】
１０、３０        本体
１１、３１、５１  連通路
１００            取付部材
１１１、３１１    排気口
１１２、３１２    吸入口
１２              第１結合部
１２１            凹入溝
２０、４０        保護部材
２１、４１        収容室
２２、４２        吸引口
２３              第２結合部
２３１            突出リブ
５０              運搬装置
５２              吸入口
５００            軸穴
６０              トレー
７０              円形膜
８０              ロボットアーム
８１              保持部材
８２              回転軸
８３              弾性部材
【図１】
0003209748.tif 000003
【図２】
0003209748.tif 000004
【図３】
0003209748.tif 000005
【図４】
0003209748.tif 000006
【図５】
0003209748.tif 000007
【図６】
0003209748.tif 000008
【図７】
0003209748.tif 000009
【図８】
0003209748.tif 000010
【図９】
0003209748.tif 000011
【図１０】
0003209748.tif 000012
【図１１】
0003209748.tif 000013